(57)【要約】【課題】主装置と付属装置とを連結するコンパクトなロック装置を提供する。【解決手段】主装置と、その主装置に対してスライド自在に接離する従たる付属装置の一方にロック部材２７を、他方に被ロック部材２５を備えて、付属装置を主装置に連結するロック装置において、被ロック部材２５が、側面２６ａに段部２６ｂを設け、かつ付属装置のスライド方向に突出するスタッド（突部）２６を有し、ロック部材２７が、付属装置のスライド方向と直交する方向に移動して段部２６ｂに掛け止めてロック状態とする係止部２９ａ，２９ｂを有する。【選択図】        図３
2004197892.tif 000002
【特許請求の範囲】
【請求項１】
主装置と、その主装置に対してスライド自在に接離する従たる付属装置の一方にロック部材を、他方に被ロック部材を備えて、前記付属装置と前記主装置とを連結するロック装置において、
前記被ロック部材が、側面に段部を設けた前記スライド方向に突出する突部を有し、前記ロック部材が、前記スライド方向と直交する方向に移動して前記段部に掛け止めてロック状態とする係止部を有することを特徴とする、ロック装置。
【請求項２】
前記ロック部材を前記ロック状態となる方向に付勢することを特徴とする、請求項１に記載のロック装置。
【請求項３】
前記ロック部材に指当て部を設けることを特徴とする、請求項１または２に記載のロック装置。
【請求項４】
前記被ロック部材を板状の支持部材とその支持部材に立てた前記段部を有する前記突部とで構成し、前記ロック部材を板状の操作部材に孔状の前記係止部を設けて構成することを特徴とする、請求項１ないし３のいずれか１に記載のロック装置。
【請求項５】
請求項１ないし４のいずれか１に記載のロック装置で、前記主装置としての画像形成装置本体と前記付属装置としての後処理装置とを連結することを特徴とする、画像形成装置。
【発明の詳細な説明】
【０００１】
【発明の属する技術分野】
この発明は、主装置と、その主装置に対してスライド自在に接離する従たる付属装置の一方にロック部材を、他方に被ロック部材を備えて、その付属装置を主装置に連結するロック装置、およびそれを備える、複写機、ファクシミリ、プリンタまたはそれらの複合機などの画像形成装置に関する。
【０００２】
【従来の技術】
従来の画像形成装置は、図７に示すように、主装置としての画像形成装置本体１と、その画像形成装置本体１から延出して設けられたレール２に沿ってスライドする従たる付属装置としての後処理装置３を備える。後処理装置３と画像形成装置本体１には、図８に示すような、フック４ａを軸４ｂの両端に取付けたロック部材４と、そのフック４ａを掛け止めてロック状態とする軸状の被ロック部材５とからなるロック装置を取り付ける。具体的には、ロック部材４を後処理装置３内に設け、フック４ａを画像形成装置本体１の左側面１ａに対向する後処理装置３の右側面から、画像形成装置本体１に向かって突出して設ける。
【０００３】
また、被ロック部材５をフック４ａが掛け止められるように、画像形成装置本体１内に設ける。そして、フック４ａを被ロック部材５に掛け止めてロック状態とすることによって後処理装置３と画像形成装置本体１とを連結していた。
【０００４】
画像形成装置本体１内のジャム処理を行うときは、ロック部材４の軸４ｂの端部に取付けられた不図示のハンドルを回してロック部材４を矢印ａの方向に回動し、フック４ａを被ロック部材５から離して非ロック状態とする。次に、後処理装置３をスライドして画像形成装置本体１から離す。そして、画像形成装置本体１の左側面１ａに設けられたジャム処理用のドア６を開けて、ジャム処理を行っていた。
【０００５】
【発明が解決しようとする課題】
しかし、このような従来の画像形成装置では、被ロック部材５を画像形成装置本体１内に備えて、ロック部材４を後処理装置３内に備えることから、画像形成装置本体１内と後処理装置３内にそれぞれロック装置の設置スペースおよび、ロック部材４が回動するためのスペースを設けなければならず、ロック装置の占有スペースを広くとる必要があり、その結果として画像形成装置が大型化するという問題がある。
【０００６】
そこで、この発明は、コンパクトなロック装置を提供することにある。
【０００７】
【課題を解決するための手段】
そのため、請求項１に記載の発明は、主装置と、その主装置に対してスライド自在に接離する従たる付属装置の一方にロック部材を、他方に被ロック部材を備えて、前記付属装置と前記主装置とを連結するロック装置において、前記被ロック部材が、側面に段部を設けた前記スライド方向に突出する突部を有し、前記ロック部材が、前記スライド方向と直交する方向に移動して前記段部に掛け止めてロック状態とする係止部を有することを特徴とする。
【０００８】
請求項２に記載の発明は、請求項１に記載のロック装置において、前記ロック部材を前記ロック状態となる方向に付勢することを特徴とする。
【０００９】
請求項３に記載の発明は、請求項１または２に記載のロック装置において、前記ロック部材に指当て部を設けることを特徴とする。
【００１０】
請求項４に記載の発明は、請求項１ないし３のいずれか１に記載のロック装置において、前記被ロック部材を板状の支持部材とその支持部材に立てた前記段部を有する前記突部とで構成し、前記ロック部材を板状の操作部材に孔状の前記係止部を設けて構成することを特徴とする。
【００１１】
請求項５に記載の発明は、画像形成装置において、請求項１ないし４のいずれか１に記載のロック装置で、前記主装置としての画像形成装置本体と前記付属装置としての後処理装置とを連結することを特徴とする。
【００１２】
【発明の実施の形態】
以下、図面を参照しつつ、この発明の実施の形態につき説明する。図１には、この発明の画像形成装置の一例としてのレーザ複写機の全体斜視図を示す。
【００１３】
この例のレーザ複写機は、画像形成装置本体としての複写機装置本体（主装置）１１とその上に取り付けた自動原稿給紙装置１２、複写機装置本体１１の下に３段に重ねて備える供給トレイ１３、複写機装置本体１１の横に取り付ける後処理装置（付属装置）１４などからなる。
【００１４】
複写機装置本体１１内には、像担持体を有し、そのまわりに、像担持体表面を一様に帯電する帯電装置、像担持体上に静電潜像を形成する書込み装置、トナーを付着して像担持体上に形成した静電潜像を現像する現像装置、画像転写後に像担持体上に残留するトナーを除去するクリーニング装置などを有する。
【００１５】
また、像担持体には、転写位置にて、ローラ状の転写装置と接触する。その転写位置を通って下方から上方へとのびる記録媒体搬送路を設ける。
【００１６】
記録媒体搬送路には、転写位置の手前にレジストローラを備え、さらにその手前には、記録媒体を積載した供給トレイ１３を３段に重ねて備える。その転写位置の先には定着装置、排出ローラなどを備える。なお、記録媒体搬送路上には、適宜、記録媒体を搬送するための搬送コロを設ける。
【００１７】
像担持体の上部には、走査光学系を備えた書込み装置を設ける。また、複写機装置本体１１内の上部には、スキャナ装置を備える。
【００１８】
そのような複写機装置本体１１の上面には、コンタクトガラスを設置し、そのコンタクトガラスを被うように、自動原稿給紙装置１２を開閉自在に取り付けてなる。
【００１９】
後処理装置１４は、複写機装置本体１１で複写された記録媒体を受け入れて、ステイプル処理を施した後、ソートまたはスタックを行ったり、ステイプル処理を施さずにソートまたはスタックを行ったりするものである。
【００２０】
詳しくは、図２に示すように、後処理装置１４の中央部よりやや上に、搬送路Ａがほぼ水平方向に設けられ、切換爪１５によって、搬送路Ｂ，Ｃがそれぞれ上下方向に分岐する。搬送路Ａの切替爪１５の先には、後処理装置１４の左側面１４ａに設けられた排出トレイ１６に記録媒体を排出するための排出ローラ１７を設ける。なお、排出トレイ１６は、不図示の駆動手段によって、記録媒体の排出方向に対して直交する方向に適宜スライドするように設ける。
【００２１】
搬送路Ｂには、ステイプルトレイ１８を設け、その上面には、記録媒体を搬送方向と直交する幅方向に整合するためのジョガーフェンス１９を設ける。また、ステイプルトレイ１８の側方には、記録媒体を搬送方向に整合するためのタタキコロ２０を設ける。さらに、ステイプルトレイ１８の後端部には、ステイプル処理を行うステイプラ２１を設ける。そして、排出ローラ１７の手前において搬送路Ａに合流する。
【００２２】
搬送路Ｃは、後処理装置１４の上面に設けられた排出トレイ２２に記録媒体をスタックするためのものである。
【００２３】
上記搬送路Ａ，Ｂ，Ｃには、記録媒体を搬送するための搬送コロ２３が、適宜配置される。
【００２４】
このレーザ複写機を用いてコピーをとるときは、自動原稿給紙装置１２に原稿をセットし、または自動原稿給紙装置１２を開いてスキャナ装置のコンタクトガラス上に直接原稿をセットする。そして、スタートスイッチを押し、自動原稿給紙装置１２を駆動してコンタクトガラス上に搬送した原稿を、または、あらかじめコンタクトガラス上にセットしてある原稿を画像情報として、スキャナ装置で読み取る。
【００２５】
同時に、供給トレイ１３から記録媒体を繰り出し、記録媒体搬送路に入れてレジストローラに突き当てて止める。
【００２６】
そして、像担持体の回転にタイミングを合わせてレジストローラを回転して転写位置へと導き、像担持体上に形成した画像を転写位置でその記録媒体へと転写して記録する。画像転写後の記録媒体は、定着装置に入れ、熱と圧力とを加えて転写画像を定着する。
【００２７】
そして、排出ローラ１７より、後処理装置１４に記録媒体を搬送し、搬送路Ａに入れる。記録媒体にステイプル処理を施さずにソートまたはスタックするときは、切替爪１５により、そのまま搬送路Ａに送る。そして、搬送コロ２３によって搬送された後、排出ローラ１７により排出トレイ１６に排出してソートまたはスタックを行う。
【００２８】
なお、ソートを行うときは、駆動手段により排出トレイ１６を記録媒体の排出方向と直交する方向に適宜、スライドさせる。
【００２９】
また、記録媒体にステイプル処理を行うときは、切替爪１５により、搬送路Ｂに送り、搬送コロ２３によってステイプルトレイ１８に搬送される。
【００３０】
そして、タタキコロ２０が記録媒体に接離して搬送方向に整合された後、ジョガーフェンス１９が幅方向に移動して記録媒体の幅方向の整合を行う。ステイプルトレイ１８上で、記録媒体ごとにこのような動作を繰り返して、所望の枚数に達したとき、ステイプラ２１により、所望の箇所にステイプル処理を行った後、ステイプルトレイ１８より押し出されて、排出ローラ１７により排出トレイ１６に排出される。このとき、適宜、ソートまたはスタックする。
【００３１】
また、記録媒体を排出トレイ２２にスタックするときは、切替爪１５により、搬送路Ｃに送り、搬送コロ２３により排出ローラ１７に搬送して、排出トレイ２１に排出してスタックする。
【００３２】
ところで、この例のレーザ複写機の複写機装置本体１１と後処理装置１４とは、ロック部材と被ロック部材を備えるロック装置によって連結されてなる。複写機装置本体１１の後処理装置１４に対向する左側面１１ａには、図３に示すように、被ロック部材２５を備える。被ロック部材２５は、２つの先の尖った円柱状のスタッド（突部）２６を、好ましくは金属製の矩形の板状の支持部材４２に立ててカシメ加工によって取付けて設ける。そして、それぞれのスタッド２６の側面２６ａには、半月状の切込みを設けて、段部２６ｂを形成する。
【００３３】
そして、不図示のねじ孔にねじを挿入して複写機装置本体１１の左側面１１ａに適宜、ねじ止めして取り付ける。
【００３４】
一方、ロック部材２７には、板状の操作部材２８にスタッド２６が挿入しうる大きさの矩形の孔状の係止部２９ａ，２９ｂを設け、その係止部２９ａ，２９ｂの内側には、長孔３０を２箇所設ける一方、係止部２９ａのやや外側には、突起３１を曲げ起して設ける。また、操作部材２８の一端には、指当て部２４を設ける。
【００３５】
ところで、この例では、ロック部材２７の裏側に、被ロック部材２５のスタッド２６を位置決めするための位置決め部材３３を備える。この位置決め部材３３は、スタッド２６の先端を逃げるために、矩形の板の４辺を必要量だけ曲げ起こす。その位置決め部材３３の表面３３ａには、２つの略楕円形状の位置決め孔３４ａ，３４ｂを設け、位置決め孔３４ａの外側には、ピンをカシメ加工によって立てて突起３５を設ける。なお、位置決め孔３４ｂは、位置決め孔３４ａに比べて大きく形成する。
【００３６】
このように構成されたロック部材２７を後処理装置１４に取付けるには、まず、位置決め部材３３の表面３３ａにロック部材２７の操作部材２８を重ね、段付きねじ３６を長孔３０に挿入し、位置決め部材３３のねじ孔３７に挿入してナットでねじ止める。次に、圧縮バネの一端を突起３1に取り付けるとともに、他端を突起３５に取付ける。すると、圧縮バネによりロック部材２７が突起３５方向に付勢されて移動し、段付きねじ３６が長孔３０の端部に当たったところでロック部材２７が止まり、ロック状態となる。
【００３７】
そして、位置決め部材３３の側部に設けられたねじ孔３８にねじを挿入して、後処理装置１４の本体で適宜、ねじ止めて取り付ける。
【００３８】
このように構成されたロック装置により後処理装置１４と複写機装置本体１１とを連結するには、レールに沿って、後処理装置１４を複写機装置本体１１に向かってスライドさせ、図４（ａ）に示すように、スタッド２６をロック部材２７に近づけ、スタッド２６がロック部材２７に当接した後、図４（ｂ）に示すように、圧縮バネ３９に抗して後処理装置１４のスライド方向Ｘと直交する方向Ｙにロック部材２７をスタッド２６の先端で押して移動して非ロック状態としながら、後処理装置１４のスライド方向Ｘに突出したスタッド２６をロック部材２７の係止部２９ａ，２９ｂに挿入する。
【００３９】
そして、スタッド２６の先端が係止部２９ａ，２９ｂを貫通した後、位置決め部材３３の位置決め孔３４ａで位置決めしながら、位置決め孔３４ｂに挿入する。そして、係止部２９ａ，２９ｂがスタッド２６の段部２６ｂに到達すると、図４（ｃ）に示すように、ロック部材２７が圧縮バネ３９によって矢印方向に移動して、係止部２９ａ，２９ｂの縁を段部２６ｂに掛け止めてロック状態とし、複写機装置本体１１と後処理装置１４とを連結する。このとき、スタッド２６の先端は、位置決め部材３３に設けた逃げに収容される。
【００４０】
ところで、複写機装置本体１１のジャム処理を行うときは、ロック部材２７の指当て部２４を押して、ロック部材２７を非ロック状態としたまま、図５に示すように、後処理装置１４をレール４０に沿って複写機装置本体１１に対してスライド方向Ｘにスライドして離す。そして、複写機装置本体１１の左側面１１ａに設けられたドア４１を開いて、詰まった記録媒体を取り除き、ドア４１を閉める。
【００４１】
その後は、前述の手順で、後処理装置１４をレール４０に沿って複写機装置本体１１に向けてスライドし、被ロック部材２５をロック部材２７に掛け止めてロック状態とし、複写機装置本体１１と後処理装置１４とを連結する。
【００４２】
なお、スタッド２６の側面２６ａに形成される段部２６ｂは、図６に示すように、側面２６ａの全周にわたって一定の深さの溝として形成してもよい。このようにすると、段部としての溝を形成するための加工が容易であり、製造コストを安くすることができる。
【００４３】
また、上述の例では、スタッド２６の側面２６ａに切込みを設けて段部２６ｂとしたが、この発明はこれに限定されるものではなく、係止部２９ａ，２９ｂの縁を掛け止めることができる段部であれば、どのように形成してもよい。
【００４４】
さらに、上述の例では、位置決め部材３３に位置決め孔３４ａ，３４ｂを設け、その位置決め部材３３にロック部材２７を移動自在に取り付けた後、後処理装置１４の複写機装置本体１１に向かい合う右側面１４ａに位置決め部材３３を取り付けたが、この発明はこれに限定されるものではなく、後処理装置１４の複写機装置本体１１に向かい合う右側面１４ａに、位置決め孔を設け、ロック部材を直接取り付けてもよい。
【００４５】
また、上述の例では、複写機装置本体１１にロック部材２７を、後処理装置１４に被ロック部材２５を備えて、後処理装置１４と複写機装置本体１１とを連結したが、この発明はこれに限定されるものではなく、複写機装置本体１１に被ロック部材２５を、後処理装置１４にロック部材２７を備えて、後処理装置１４と複写機装置本体１１とを連結するようにしてもよい。
【００４６】
さらに、上述の例では、ロック装置によって、複写機装置本体１１と後処理装置１４とを連結したが、この発明はこれに限定されるものではなく、後処理装置を主装置とし、その内部にあるステイプルユニットや中綴じユニットなどを従たる付属装置として、主装置と付属装置とをロック装置により連結するようにしてもよい。
【００４７】
【発明の効果】
以上、詳述したように、この発明によれば、被ロック部材が、側面に段部を設けた付属装置のスライド方向に突出する突部を有し、ロック部材が、スライド方向と直交する方向に移動して段部に掛け止めてロック状態とする係止部を有するので、ロック部材を回動して被ロック部材に掛け止める必要がなく、ロック部材が回動するためのスペースを省くことができ、コンパクトなロック装置を提供することができる。
【００４８】
請求項２に記載の発明によれば、ロック部材をロック状態となる方向に付勢するので、ロック状態を確実に保持することができる。
【００４９】
請求項３に記載の発明によれば、ロック部材に指当て部を設けるので、手で容易に、ロック部材を移動することができ、操作性のよいロック装置を提供することができる。
【００５０】
請求項４に記載の発明によれば、被ロック部材を板状の支持部材とその支持部材に立てた段部を有する突部とで構成し、ロック部材を板状の操作部材に孔状の係止部を設けて構成するので、簡単な構成でロック装置を製造することができる。また、ロック装置の取り扱いが容易で、かつ、後付けすることができる。
【００５１】
請求項５に記載の発明によれば、画像形成装置が、請求項１ないし４のいずれか１に記載のロック装置で、主装置としての画像形成装置本体と付属装置としての後処理装置とを連結するので、画像形成装置を小型化することができるとともに、画像形成装置本体のジャム処理などの際に、容易にロック装置を被ロック状態として、後処理装置を離すことができ、操作性がよい画像形成装置を提供することができる。
【００５２】
【図面の簡単な説明】
【図１】この発明による画像形成装置の一例としてのレーザ複写機の全体斜視図である。
【図２】その後処理装置の概略構成図である。
【図３】そのロック装置の分解斜視図である。
【図４】そのロック装置の動作の説明図であり、（ａ）は、複写機装置本体から後処理装置を離した状態を示す図、（ｂ）は、非ロック状態を示す図、（ｃ）は、ロック状態を示す図である。
【図５】複写機装置本体から後処理装置を離した状態を示す斜視図である。
【図６】この発明のロック装置の被ロック部材の他例の斜視図である。
【図７】従来のロック装置を備える画像形成装置の概略説明図である。
【図８】そのロック装置の概略説明図である。
【符号の説明】
１１    複写機装置本体（主装置、画像形成装置本体）
１４    後処理装置（付属装置）
２４    指当て部
２５    被ロック部材
２６    スタッド（突部）
２６ａ    側面
２６ｂ    段部
２７    ロック部材
２８    操作部材
２９    係止部
３０    長孔
３３    位置決め部材
３４ａ，３４ｂ    位置決め孔
４０    レール
４２    支持部材
【図１】
2004197892.tif 000003
【図２】
2004197892.tif 000004
【図３】
2004197892.tif 000005
【図４】
2004197892.tif 000006
【図５】
2004197892.tif 000007
【図６】
2004197892.tif 000008
【図７】
2004197892.tif 000009
【図８】
2004197892.tif 000010